(57)【特許請求の範囲】
【請求項１】
下記一般式（Ｉ）で表される化合物を含有することを特徴とする平版印刷用湿し水濃縮組成物。
【化１】
0005993193.tif 000008
（式（Ｉ）において、Ｒ１は炭素原子１〜１２の塩素原子で置換されていてもよいアルキル基を表す。）
【請求項２】
更に、下記一般式（II）で表される化合物を含有する請求項１記載の平版印刷用湿し水濃縮組成物。
【化２】
0005993193.tif 000009
（式（II）において、Ｒ２は水素原子、又は炭素原子１〜４の直鎖、または分岐のアルキル基を表し、ｍは１〜３の整数を表す。Ｒ３は水素原子、又はメチル基を表す。）
【発明の詳細な説明】
【技術分野】
【０００１】
本発明は、平版印刷用湿し水濃縮組成物に関し、更に詳しくは平版オフセット印刷で用いられる湿し水に関するものである。
【背景技術】
【０００２】
平版印刷版を用いたオフセット印刷は水と油が本質的に混じり合わない性質を利用した印刷方式であり、印刷版は水を受容してインキを反発する部分と、水を反発しインキを受容する部分からなる。前者が非画線部で、後者が画線部である。その印刷版の画像（画線部）が一旦、ブランケットに転写され、転写された画像がさらに印刷用紙に転写される事によって印刷される。
印刷時には、その非画線部を湿らせてインキが付着しないように、湿し水とよばれる水が供給される。湿し水はリン酸等を含有するが、一般に濃縮された形で提供され、印刷する際には水で希釈して使用される。希釈する前の液を本明細書では湿し水濃縮組成物と呼ぶ。
【０００３】
平版オフセット印刷では、湿し水が供給過多（一般的に過乳化と呼ぶ）になるとインキが供給されるローラー上にまで湿し水が行き渡り、インキが版面上に転移出来なくなる転移不良が発生する。転移不良が発生した場合、転移出来ないインキがローラー上に堆積する所謂インキローラー溜りやブランケット上に堆積する所謂ブランケットパイリングが発生する。更に悪化した場合、湿し水が版面に供給されるのを阻害する給水ローラー汚れ、所謂インキフィードバックに繋がる。一方、湿し水が少なすぎると非画線部にインキが付着し汚れの原因となる。
【０００４】
このインキと湿し水とのバランスを保つため、従来から湿し水にはイソプロピルアルコール（以下ＩＰＡと呼ぶ）が添加されることが一般的である。更に各種親水性物質として例えばアラビアゴム、カルボキシメチルセルロース（ＣＭＣ）、版表面酸化物を除去する整面剤としてリン酸、重クロム酸アンモニウム、硝酸、及びクエン酸等が添加されている。その他に、各種添加物を溶解させるため有機溶剤などが添加されている。
ここでＩＰＡを添加する効果としては、印刷版面の親水性非画線部への濡れが良好になる事と、湿し水の粘度を上げて給水装置から版面への湿し水の供給を滑らかにする等が挙げられる。
【０００５】
しかし、ＩＰＡは危険物第４類アルコール類に該当し、使用に際しては火気に細心の注意を払う必要がある。又、有機溶剤予防規則第２種有機溶剤に該当し、水溶液中の濃度は５質量％以下で管理するように規制されている。湿し水中には通常５〜２０質量％程度の濃度で添加して使用することから、局所排気装置等を講ずる必要があるなどの問題があった。
【０００６】
このため、近年ＩＰＡを全く用いないか、用いても湿し水中濃度が５質量％以下であるような湿し水ないしは湿し水組成物が提案されてきた。例えばＩＰＡの代替化合物として界面活性剤や有機溶剤等を添加したものとして、特許文献１〜３を挙げることが出来る。
【０００７】
又、アルコール類のエチレンオキサイド及び／又はプロピレンオキサイド付加体の界面活性剤を添加することも提案されている。例えば特許文献４〜１６においては、１価や２価のアルコールまたは３価以上の多価アルコールにエチレンオキサイドやプロピレンオキサイドを付加した界面活性剤を添加した湿し水、又は湿し水組成物が提案されている。
【０００８】
しかし、これらの界面活性剤を使用する場合には、その浸透性が高いことにより平版印刷用版材の画線部を侵食し、印刷中に画線部が脱落して印刷物品質を低下させる問題（版トレと呼ばれる）が発生しやすい。
特に近年赤外線を放射する固体レーザーまたは半導体レーザーを用いてコンピュータ等のデジタルデータから版面に印刷すべき画像を直接記録して製版する、いわゆるＣＴＰ（Ｃｏｍｐｕｔｅｒ  ｔｏ  Ｐｌａｔｅ）用印刷版においてはその傾向が顕著である。このＣＴＰ版に対応した湿し水濃縮組成物として、特許文献１５、１６が挙げられる。
【０００９】
また、近年のオフセット印刷では印刷紙の低級化、再生紙の利用が急増している状況であり、インキの着肉性（網点等の着き）が悪い、印刷紙面が汚れ易い等の問題がある。このような状況下では湿し水は供給過多になり、インキの転移不良や給水ローラー汚れが発生しやすくなっている。このため、インキ中に湿し水量が少なくても印刷紙面が汚れにくく、且つ湿し水が供給過多になっても過乳化しないことが求められている。
【００１０】
特許文献１７〜２４にはインキ成分と紙成分がブランケット上の非画線部に堆積するブランケットパイリングを抑制するための湿し水が提案されている。しかし、ブランケットパイリングが発生する要因はインキの転移不良による影響が多大なため、まずはインキの転移不良を抑制することが大切である。
【００１１】
【特許文献１】特開昭５７−１７９２号公報
【特許文献２】特開平３−９０３８９号公報
【特許文献３】特開平３−１５５９９１号公報
【特許文献４】特開昭５１−７２５０７号公報
【特許文献５】特開平２−４８９９６号公報
【特許文献６】特開平２−２６９０９４号公報
【特許文献７】特開平２−２５５３８６号公報
【特許文献８】特開平３−６３１８８号公報
【特許文献９】特開平８−３３７０７３号公報
【特許文献１０】特開平１１−９９７６６号公報
【特許文献１１】特開２０００−９４８５４号公報
【特許文献１２】特開２００１−１３８６５９号公報
【特許文献１３】特開２００１−１８０１４６号公報
【特許文献１４】特開平８−１３２７５３号公報
【特許文献１５】特開２００７−２８３５８４号公報
【特許文献１６】特開２００８−１１９９２２号公報
【特許文献１７】特開２００９−９６１７７号公報
【特許文献１８】特開２００９−９６１７８号公報
【特許文献１９】特開２００９−２３４２４６号公報
【特許文献２０】特開２００９−２３４２４７号公報
【特許文献２１】特開２０１０−２２１６６７号公報
【特許文献２２】特開２０１１−７３１９３号公報
【特許文献２３】特開２０１２−３０３７３号公報
【特許文献２４】特開２０１１−３０５４８号公報
【発明の開示】
【発明が解決しようとする課題】
【００１２】
本発明の課題は、印刷作業を行うにあたり、印刷版面の親水性非画線部への濡れ性が良好となる等、ＩＰＡを添加した際と同様な効果が得られ、インキの転移不良や給水ローラー汚れを防止することができ、画線部が湿し水により侵食されやすいＣＴＰ用印刷版においても印刷中に画線部が脱落する等の印刷物品質上の問題が起こらない平版印刷用湿し水濃縮組成物を提供することである。
【課題を解決するための手段】
【００１３】
発明者らは上記課題を達成するため、従来の湿し水濃縮組成物の成分が持つ欠点がなく、環境上安全でかつ湿し水濃縮組成物の成分として適した化合物について研究を重ねた結果、下記一般式（Ｉ）で表される化合物を含有する湿し水濃縮組成物を用いることにより、前記の課題が解決されることを見出した。
また下記一般式（ＩＩ）で表される化合物をさらに添加することにより、前記課題がさらに良好になる事がわかった。
【００１４】
【化１】
0005993193.tif 000002
（式（Ｉ）において、Ｒ１は炭素原子１〜１２の塩素原子で置換されていてもよいアルキル基を表す。）
【００１５】
また下記一般式（II）で表される化合物をさらに添加することにより、前記課題や液安定性が良好になる事がわかった。
【００１６】
【化２】
0005993193.tif 000003
（式（II）において、Ｒ２は水素原子、又は炭素原子１〜４の直鎖、または分岐のアルキル基を表し、ｍは１〜３の整数を表す。Ｒ３は水素原子、又はメチル基を表す。）
【発明の効果】
【００１７】
本発明の平版印刷用湿し水濃縮組成物は、ＩＰＡを含有する湿し水濃縮組成物のような労働安全衛生上の問題を生じさせる事なく、インキの転移不良や給水ローラー汚れを発生させず、液安定性に優れた湿し水濃縮組成物であり、且つＣＴＰ版の画線部に対する侵食性のない湿し水濃縮組成物である。
【発明を実施するための最良の形態】
【００１８】
本発明の湿し水濃縮組成物は一般式（Ｉ）で表される化合物を含有し、その含有量は湿し水濃縮組成物全質量に対して、合計で０．１〜１０質量％が適当であり、好ましくは０．５〜５質量％である。０．１質量％より少ないとインキの転移不良や給水ローラー汚れを抑える効果が低く、一方、その含有量が１０質量％を超えると湿し水濃縮組成物の液保存安定性が悪くなる。
【００１９】
【化３】
0005993193.tif 000004
（式（Ｉ）において、Ｒ１は炭素原子１〜１２の塩素原子で置換されていてもよいアルキル基を表す。）
【００２０】
前記（I）式中のＲ１の具体例としては、メチル基、エチル基、クロロメチル基、クロロエチル基、プロピル基、クロロプロピル基、ブチル基、ペンチル基、ヘキシル基、ペンチル基、オクチル基が好ましい。
【００２１】
また、本発明の平版印刷用湿し水濃縮組成物は、インキの過乳化を抑制する事や液保存安定性を持たせるために下記一般式（II）で示される少なくとも１種類の化合物を含有することが好ましい。
【００２２】
【化４】
0005993193.tif 000005
（式（II）において、Ｒ２は水素原子、又は炭素原子１〜４の直鎖、または分岐のアルキル基を表し、ｍは１〜３の整数を表す。Ｒ３は水素原子、又はメチル基を表す。）
【００２３】
上記一般式（II）で示される化合物の具体例として、プロピレングリコール、ジプロピレングリコール、トリプロピレングリコール、プロピレングリコールモノメチルエーテル、ジプロピレングリコールモノメチルエーテル、トリプロピレングリコールモノメチルエーテル、プロピレングリコールモノエチルエーテル、ジプロピレングリコールモノエチルエーテル、トリプロピレングリコールモノエチルエーテル、プロピレングリコールモノプロピルエーテル、ジプロピレングリコールモノプロピルエーテル、トリプロピレングリコールモノプロピルエーテル、プロピレングリコールモノイソプロピルエーテル、ジプロピレングリコールモノイソプロピルエーテル、トリプロピレングリコールモノイソプロピルエーテル、プロピレングリコールモノブチルエーテル、ジプロピレングリコールモノブチルエーテル、トリプロピレングリコールモノブチルエーテル、プロピレングリコールモノイソブチルエーテル、ジプロピレングリコールモノイソブチルエーテル、トリプロピレングリコールモノイソブチルエーテル、プロピレングリコールモノターシャリーブチルエーテル、ジプロピレングリコールモノターシャリーブチルエーテル、トリプロピレングリコールモノターシャリーブチルエーテル、エチレングリコール、ジエチレングリコール、トリエチレングリコール、エチレングリコールモノメチルエーテル、ジエチレングリコールモノメチルエーテル、トリエチレングリコールモノメチルエーテル、エチレングリコールモノエチルエーテル、ジエチレングリコールモノエチルエーテル、トリエチレングリコールモノエチルエーテル、エチレングリコールモノプロピルエーテル、ジエチレングリコールモノプロピルエーテル、トリエチレングリコールモノプロピルエーテル、エチレングリコールモノイソプロピルエーテル、ジエチレングリコールモノイソプロピルエーテル、トリエチレングリコールモノイソプロピルエーテル、エチレングリコールモノブチルエーテル、ジエチレングリコールモノブチルエーテル、トリエチレングリコールモノブチルエーテル、エチレングリコールモノイソブチルエーテル、ジエチレングリコールモノイソブチルエーテル、トリエチレングリコールモノイソブチルエーテル、エチレングリコールモノターシャリーブチルエーテル、ジエチレングリコールモノターシャリーブチルエーテル、トリエチレングリコールモノターシャリーブチルエーテル等が挙げられる。これらの化合物の中でより好ましくはプロピレングリコール、プロピレングリコールモノメチルエーテル、ジプロピレングリコールモノメチルエーテル、プロピレングリコールモノプロピルエーテル、プロピレングリコールモノブチルエーテル、プロピレングリコールモノターシャリーブチルエーテル、ジエチレングリコールモノブチルエーテル、ジエチレングリコールモノイソブチルエーテル、エチレングリコールモノターシャリーブチルエーテル等が挙げられる。
これらの化合物は単独でも２種類以上を併用してもよい。濃度は湿し水濃縮組成物全質量に対して、合計で５〜７０質量％が好ましく、より好ましくは１０〜５０質量％である。  
【００２４】
本発明では印刷版に湿し水を供給するローラー上に均一な水膜を形成するために次のような界面活性剤を単独で用いても、２種類以上併用しても良い。アニオン型界面活性剤の具体例としては、例えば脂肪酸塩類、ヒドロキシアルカンスルホン酸塩類、アルカンスルホン酸塩類、ジアルキルスルホ琥珀酸塩類、ポリオキシエチレンアルキルスルホフェニルエーテル塩類、Ｎ−メチル−Ｎ−オレイルタウリンナトリウム塩類、Ｎ−アルキルスルホ琥珀酸モノアミド二ナトリウム塩類、ポリオキシエチレンアルキルエーテル硫酸エステル塩類、脂肪酸モノグリセリド硫酸エステル塩類、アルキル燐酸エステル塩類、ポリオキシエチレンアルキルエーテル燐酸エステル塩類などが挙げられる。カチオン型界面活性剤の具体例としては、アルキルアミン塩類、第４級アンモニウム塩類、ポリオキシエチレンアルキルアミン塩類、ポリエチレンポリアミン誘導体などが挙げられる。
【００２５】
非イオン型界面活性剤の具体例としては、ポリオキシエチレンアルキルエーテル類、ポリオキシエチレンアルキルフェニルエーテル類、ポリオキシエチレンポリスチリルフェニルエーテル類、ポリオキシエチレンポリオキシプロピレンアルキルエーテル類、ポリオキシエチレンポリオキシプロピレンブロックポリマー類、グリセリン脂肪酸部分エステル化物類、ソルビタン脂肪酸部分エステル化物類、ペンタエリスリトール脂肪酸部分エステル化物類、プロピレングリコールモノ脂肪酸エステル類、ショ糖脂肪酸部分エステル化物類、ポリオキシエチレンソルビタン脂肪酸部分エステル化物類、ポリオキシエチレンソルビトール脂肪酸部分エステル化物類、ポリエチレングリコール脂肪酸エステル類、ポリグリセリン脂肪酸部分エステル化物類、ポリオキシエチレン化ひまし油類、ポリオキシエチレングリセリン脂肪酸部分エステル化物類、脂肪酸ジエタノールアミド類、Ｎ、Ｎ−ビス−２−ヒドロキシアルキルアミン類、ポリオキシエチレンアルキルアミン類、トリエタノールアミン脂肪酸エステル類、トリアルキルアミンオキシド類などが挙げられる。
【００２６】
さらに版面非画線部の濡れ性向上のため、アセチレングリコール類、アセチレンアルコール類を添加しても良い。具体的には３−メチル−１−ブチン−３−オール、２−ブチン−１，４−ジオール、３−メチル−１−ペンチン−３−オール、２，５−ジメチル−３−ヘキシン−２，５−ジオール、３，５−ジメチル−１−ヘキシン−３−オール、３，６−ジメチル−４−オクチン−３，６−ジオール、２，４，７，９−テトラメチル−５−デシン−４，７−ジオール、２，５，８，１１−テトラメチル−６−ドデシン−５，８−ジオール、及びその酸化エチレン及び／又は酸化プロピレン付加物等が挙げられる。これらの化合物は、湿し水濃縮組成物に対して０．１〜５．０質量％で用いられるのが適当である。
【００２７】
更に本発明の平版印刷用湿し水濃縮組成物には液の保存安定性のため、３−メトキシ−３−メチルブタノール、３−メトキシブタノール、グリセリン、トリメチロールプロパン等を添加しても良い。
【００２８】
本発明の平版印刷用湿し水濃縮組成物にはローラー間の水上がり性能や非画線部へのインキ付着を防ぐため、水溶性高分子を添加してもよい。水溶性高分子としてはヒドロキシエチルセルロース（ＨＥＣ）、ヒドロキシプロピルセルロース（ＨＰＣ）、ヒドロキシプロピルメチルセルロース（ＨＰＭＣ）、ヒドロキシエチルメチルセルロース（ＨＥＭＣ）、メチルセルロース（ＳＭ）等のセルロース誘導体やアラビアガム、澱粉誘導体、アルギン酸塩類、ポリエチレングリコール、ポリビニルアルコール、ポリビニルピロリドン、ポリアルリル酸、ポリアクリルアミド等が挙げられる。
【００２９】
更に、本発明の平版印刷用湿し水濃縮組成物には、印刷版面の非画線部へのインキの付着防止や、紙からの溶出物などによるＰＨの変動を抑制するために有機酸や無機酸、及び／又はそれらの塩類を添加してもよい。有機酸として、例えば酢酸、乳酸、リンゴ酸、クエン酸、シュウ酸、マロン酸、コハク酸、グルタル酸、アジピン酸、フマル酸、マレイン酸、アスコルビン酸、酒石酸、グリコール酸、グルコン酸、レブリン酸、フイチン酸、有機ホスホン酸、ｐ−トルエンスルホン酸等が挙げられる。
前記の無機酸としては、例えばリン酸、ピロリン酸、ポリリン酸に代表される縮合リン酸の他、硝酸、硫酸などが挙げられる。塩としては前述のアルカリ金属塩、アルカリ土類金属塩、あるいはアンモニウム塩、有機アミン酸等を用いることができる。これらは単独でも２種類以上を混合して使用してもよい。
【００３０】
本発明の平版印刷用湿し水濃縮組成物には、キレート化合物を添加しても良い。キレート化合物は水道水や井戸水に含まれる炭酸カルシウムが印刷機上のローラーに堆積することを防止し、印刷適性や印刷物品質を安定させる効果がある。
キレート化合物は濃縮湿し水中に安定に存在し、印刷適性を阻害しないものが選ばれる。平版印刷用湿し水濃縮組成物中での含有量は５質量％以下が適当である。
好ましく用いられるキレート化合物としては、エチレンジアミンテトラ酢酸、ジエチレントリアミンペンタ酢酸、トリエチレンテトラミンヘキサ酢酸、ヒドロキシエチルエチレンジアミントリ酢酸、ニトリロトリ酢酸、１−ヒドロキシエタン−１，１−ジホスホン酸、アミノトリ（メチレンホスホン酸）などやこれらのナトリウム塩類、カリウム塩類、および有機アミン塩類などを挙げることが出来る。
【００３１】
この他、本発明では印刷機の湿し水循環装置において湿し水が泡立つことを防止するため、シリコン系消泡剤及びまたはフッ素系消泡剤が好ましく使用される。これら消泡剤としては乳化分散型及び可溶化型などいずれも使用できる。これら化合物の平版印刷用湿し水濃縮組成物中での含有量は０．１〜０．５質量％程度である。
【００３２】
又、本発明では印刷機の湿し水循環装置において長期間使用する際の水の腐敗を防止するための防腐剤として、イミダゾール誘導体、４−イソチアゾリン−３−オン誘導体、ベンズトリアゾール誘導体、アミジンまたはグアジニンの誘導体、４級アンモニウム塩類、ピリジンまたはキノリンの誘導体、ダイアジンまたはトリアゾールの誘導体、オキサゾールまたはオキサジンの誘導体、ブロモニトロアルコール類などを使用してもよい。
防腐剤の好ましい添加量は、細菌、カビ、酵母などに対して安定に効力を発揮する量であって、細菌、カビ、酵母の種類によっても異なるが、これら化合物の平版印刷用湿し水濃縮組成物中での含有量は４質量％以下の範囲が好ましく、また種々の細菌、カビ、酵母に対して効力のあるような２種以上の防腐剤を併用することが好ましい。
【００３３】
本発明の平版印刷版用湿し水濃縮組成物は通常、水道水や井戸水などの水で１０〜１００倍に希釈して使用される。
【実施例】
【００３４】
本発明を実施例にて更に詳細に説明するが、これら実施例に限定されるものではない。尚％は特に指定のない限り質量％を示す。
【００３５】
実施例（７種類）及び比較例（４種類）の湿し水濃縮組成物の配合を表１に示す。
表１において、一般式（I）の化合物として、エピクロロヒドリンと２−メルカプトエタノールと１−オクタノールの反応物を使用、一般式（II）の化合物として、プロピレングリコール（Ｒ２：水素原子、Ｒ３：メチル、ｍ：１）、プロピレングリコールモノメチルエーテル（Ｒ２：炭素数１、Ｒ３：メチル、ｍ：１）、エチレングリコールモノターシャリーブチルエーテル（Ｒ２：炭素数４、Ｒ３：水素原子、ｍ：１）、ジエチレングリコールモノブチルエーテル（Ｒ２：炭素数４、Ｒ３：水素原子、ｍ：２）、ヒドロキシプロピルセルロースは日本曹達株式会社製のＨＰＣ−ＳＬである。
ポリオキシエチレンポリオキシプロピレンブロックポリマーはＢＡＳＦジャパン株式会社のプルロニックＰＥ３１００を使用した。表１において、数値の単位はグラムであり、表１の組成以外の残部として水を加えてそれぞれの全量を１０００ｍｌとした。
【００３６】
表１に示す実施例及び比較例の湿し水濃縮組成物をそれぞれ以下に示す（ａ）、及び（ｂ）のテストを実施した。それらの結果を表２に示す。
【００３７】
（ａ）湿し水濃縮液の保存安定性テスト
表１に示す実施例及び比較例の湿し水濃縮組成物を１０ｍｌのガラスサンプル瓶に入れ、４０℃の恒温装置に約１ヶ月放置し、液の保存安定性を確認する。
○・・・変化なし。
△・・・白濁し、層分離する。
×・・・成分が分離し、沈殿物が発生する。
【００３８】
（ｂ）プレート侵食性テスト
表１に示す実施例及び比較例の湿し水濃縮組成物をそれぞれ、水で５０倍に希釈（濃度２.０％）し、５０％網点とベタ（全画線部）のあるＣＴＰ版（ＴＰ−Ｗ；コダック株式会社製）を作成し、各湿し水に５時間浸漬させ、画線部に侵食がみられるか確認を行った。
○・・・画線部侵食性なし。
△・・・液界面に侵食性が見られる。
×・・・５０％網点が侵食され、画線部が取れる。
【００３９】
更に表１に示す実施例及び比較例の湿し水濃縮組成物のそれぞれを水で５０倍に希釈（濃度２.０％）し、以下に示す印刷テスト（ｃ）〜（ｅ）を実施した。印刷条件は以下の通りである。結果を表２に示す。
印刷機：ローランド−７０４（マンローランド社製）。
印刷速度：１０，０００枚／１時間。
印刷用紙：ＯＫトップコート。
湿し水機構：ローランドマチック。
温湿度：２３〜２４℃，５０〜６０％ＲＨ。
インキ：フュージョンＧ  ＥＺ  紅−Ｎ（ＤＩＣグラフィックス株式会社製）。
印刷版：ＴＰ−Ｗ（ＣＴＰ版、コダック株式会社製）。
【００４０】
（ｃ）水幅適性
印刷機の給水量を水目盛りの数値（目盛り１〜９９、給水ローラーの回転数の目盛りでもある。湿し水が印刷版面に供給される目安であり、数値が大きいほど給水量が多くなる。）を参照して変化させる。
網点の絡み汚れが発生する水目盛りを下限値、紙面のベタ部分の濃度が０．１落ちた水目盛りを上限値とする下限値と上限値の幅を調べた。給水量が変動しても安定して印刷できることが好ましい。
◎・・・３０目盛り以上の水幅。
○・・・２５〜３０目盛り以内の水幅。
△・・・２０〜２５目盛り以内の水幅。
×・・・２０目盛り以下の水幅。
【００４１】
（ｄ）給水ローラー汚れ
上記試験（ｃ）で測定した水幅上限で印刷。１，０００枚終了後の給水ローラーの汚れ具合を観察した。
○・・・汚れなし。
△・・・若干汚れがある。
×・・・汚れる。
【００４２】
（ｅ）インキローラー溜り
湿し水の給水量を徐々に上げていき、インキローラー上のインキの転移状態を観察する。インキローラーの溜まりが少ないほど転移性が良好であり、過乳化状態となっていない。
◎・・・水幅下限から＋３０目盛り以上でインキ溜りが発生。
○・・・水幅下限から＋２５〜＋３０目盛りでインキ溜りが発生
△・・・水幅下限から＋２０〜＋２５目盛りでインキ溜りが発生
×・・・水幅下限から＋２０目盛り以下でインキ溜りが発生
【００４３】
【表１】
0005993193.tif 000006
【００４４】
【表２】
0005993193.tif 000007
【００４５】
表２に示すように、実施例１〜７では（ａ）湿し水濃縮液の保存安定性テスト、（ｂ）プレート侵食性テストにおいて、良好な結果が得られた。また、（ｃ）〜（ｅ）の各種印刷テストにおいても良好な結果が得られた。